(57)【特許請求の範囲】
【請求項１】
所望の被写体にピントを合わせるために駆動されるフォーカスレンズと、焦点距離を変更するために駆動されるズームレンズと、開口径を変化させて撮影光の光量を調節する絞りとを有し、前記フォーカスレンズの位置を調節してフランジバック調整を行うように構成されたレンズ装置において、
通常の撮影動作が可能な撮影モードと前記フランジバック調整が可能な調整モードとの間でモード遷移する際、前記絞りの開口径を変化させる絞り制御手段を備え、
前記絞り制御手段は、前記調整モードから前記撮影モードに遷移する際、前記絞りの開口径を最小値に変化させてから元の状態に戻すことを特徴とするレンズ装置。
【請求項２】
前記絞り制御手段は、前記撮影モードから前記調整モードに遷移する際、前記絞りの開口径を最小値に変化させてから元の状態に戻すことを特徴とする請求項１に記載のレンズ装置。
【請求項３】
所望の被写体にピントを合わせるために駆動されるフォーカスレンズと、焦点距離を変更するために駆動されるズームレンズと、開口径を変化させて撮影光の光量を調節する絞りとを有し、前記フォーカスレンズの位置を調節してフランジバック調整を行うように構成されたレンズ装置において、
通常の撮影動作が可能な撮影モードと前記フランジバック調整が可能な調整モードとの間でモード遷移する際、前記絞りの開口径を変化させる絞り制御手段を備え、
前記絞り制御手段は、前記撮影モードから前記調整モードに遷移する際、前記絞りの開口径を最小値に変化させてから元の状態に戻すことを特徴とするレンズ装置。
【請求項４】
前記絞り制御手段は、前記絞りの開口径を最小値に変化させた後、さらに最大値まで変化させてから元の状態に戻すことを特徴とする請求項１乃至３のいずれか１項に記載のレンズ装置。
【請求項５】
前記撮影モードと前記調整モードとの間でモード遷移する際、前記ズームレンズの位置を変化させるズームレンズ制御手段を備えたことを特徴とする請求項１乃至４のいずれか１項に記載のレンズ装置。
【請求項６】
前記ズームレンズ制御手段は、前記撮影モードから前記調整モードに遷移する際、前記ズームレンズを広角端及び望遠端のうち、一方の端部に一旦移動させてから他方の端部に移動させることを特徴とする請求項５に記載のレンズ装置。
【請求項７】
所望の被写体にピントを合わせるために駆動されるフォーカスレンズと、焦点距離を変更するために駆動されるズームレンズと、開口径を変化させて撮影光の光量を調節する絞りとを有し、前記フォーカスレンズの位置を調節してフランジバック調整を行うように構成されたレンズ装置において、
通常の撮影動作が可能な撮影モードと前記フランジバック調整が可能な調整モードとの間でモード遷移する際、前記絞りの開口径を変化させる絞り制御手段と、
前記撮影モードと前記調整モードとの間でモード遷移する際、前記ズームレンズの位置を変化させるズームレンズ制御手段と、を備え、
前記ズームレンズ制御手段は、前記撮影モードから前記調整モードに遷移する際、前記ズームレンズを広角端及び望遠端のうち、一方の端部に一旦移動させてから他方の端部に移動させることを特徴とするレンズ装置。
【請求項８】
前記ズームレンズ制御手段は、前記撮影モードから前記調整モードに遷移する際、前記ズームレンズを広角端に一旦移動させてから望遠端に移動させることを特徴とする請求項６又は７に記載のレンズ装置。
【発明の詳細な説明】
【技術分野】
【０００１】
本発明はレンズ装置に係り、特にフランジバック調整機構を備えたレンズ装置に関する。
【背景技術】
【０００２】
従来より、放送用又は業務用等のテレビカメラで用いられるレンズ装置として、カメラ本体に装着した際にレンズ鏡胴後端のフランジ面（取り付け面）から結像面（カメラの撮像素子受光面）までの距離（つまり、フランジバック）を自動又は手動で調整する機構を備えたものが知られている。
【０００３】
例えば特許文献１に記載されるレンズ装置には、フランジバック調整モードに移行させるための専用スイッチが設けられており、当該専用スイッチが押されると自動的にフランジバック調整が行われるようになっている。
【先行技術文献】
【特許文献】
【０００４】
【特許文献１】特開平９−１９７２６１号公報
【発明の概要】
【発明が解決しようとする課題】
【０００５】
ところで、フランジバック調整が実施されるときのレンズ動作は、通常の撮影時とは異なる動作であるため、フランジバック調整モードに移行している間は通常の撮影動作ができなくなる。その一方で、フランジバック調整モードに移行していることを知らずに通常の撮影時と同じようにレンズ装置が操作されてしまうと、フランジバック調整が適正に実施されなくなってしまう。このため、カメラマン（ユーザ）がフランジバック調整モードであるか否かを把握できるようになっていると便利である。
【０００６】
前述の特許文献１に記載されるレンズ装置では、フランジバック調整の動作状態を知らせる表示部が設けられており、フランジバックの調整動作が進行中は表示部を点滅させ、通常操作が不可能なことをカメラマンに警告し、動作が終了した段階で表示部を点灯させ、フランジバック調整済みであることを示すようにしている。
【０００７】
しかしながら、フランジバック調整は、レンズ装置をカメラ本体に最初に装着した時など限られた状況で随時必要に応じて行われるものであり、撮影時における通常の操作（ズーム、フォーカス、アイリス等の操作）と比較して作業頻度は低いものである。
【０００８】
また、フランジバック調整の動作状態をユーザに知らせるために新たな表示手段を設けることは装置の大型化やコストアップを招く要因となる。特に装置の小型化が要求されているポータブルレンズなどでは、新たな表示手段を設けることなくフランジバック調整モードであるか否かをユーザが把握できるようにすることが望ましい。
【０００９】
本発明はこのような事情に鑑みてなされたもので、新たな表示手段を設けることなくフランジバック調整モードであるか否かをユーザが把握できるようにしたレンズ装置を提供することを目的とする。
【課題を解決するための手段】
【００１０】
前記目的を達成するために、本発明の第１態様に係るレンズ装置は、所望の被写体にピントを合わせるために駆動されるフォーカスレンズと、焦点距離を変更するために駆動されるズームレンズと、開口径を変化させて撮影光の光量を調節する絞りとを有し、前記フォーカスレンズの位置を調節してフランジバック調整を行うように構成されたレンズ装置において、通常の撮影動作が可能な撮影モードと前記フランジバック調整が可能な調整モードとの間でモード遷移する際、前記絞りの開口径を変化させる絞り制御手段を備え、前記絞り制御手段は、前記調整モードから前記撮影モードに遷移する際、前記絞りの開口径を最小値に変化させてから元の状態に戻すことを特徴とする。
本発明の第２態様に係るレンズ装置は、第１態様において、前記絞り制御手段は、前記調整モードから前記撮影モードに遷移する際、前記絞りの開口径を最小値に変化させてから元の状態に戻すことを特徴とする。
本発明の第３態様に係るレンズ装置は、所望の被写体にピントを合わせるために駆動されるフォーカスレンズと、焦点距離を変更するために駆動されるズームレンズと、開口径を変化させて撮影光の光量を調節する絞りとを有し、前記フォーカスレンズの位置を調節してフランジバック調整を行うように構成されたレンズ装置において、通常の撮影動作が可能な撮影モードと前記フランジバック調整が可能な調整モードとの間でモード遷移する際、前記絞りの開口径を変化させる絞り制御手段を備え、前記絞り制御手段は、前記撮影モードから前記調整モードに遷移する際、前記絞りの開口径を最小値に変化させてから元の状態に戻すことを特徴とする。
【００１１】
本発明の第１〜第３態様によれば、撮影モードと調整モードとの間でモード遷移する場合には絞りの開口径を変化させるようにしたので、カメラマンはテレビカメラによる撮影映像を確認しているだけでフランジバック調整モードであるか否かを瞬時に把握できる。これにより、新たな表示手段やそのための表示回路を設ける必要がなくなり、レンズ装置の小型化やコストダウンを図ることが可能となる。
【００１４】
本発明の第４態様に係るレンズ装置は、第１態様ないし第３態様のいずれかにおいて、前記絞り制御手段は、前記絞りの開口径を最小値に変化させた後、さらに最大値まで変化させてから元の状態に戻すことを特徴とする。
【００１５】
本発明の第５態様に係るレンズ装置は、第１態様ないし第４態様のいずれかにおいて、前記撮影モードと前記調整モードとの間でモード遷移する際、前記ズームレンズの位置を変化させるズームレンズ制御手段を備えたことを特徴とする。
【００１６】
本発明の第６態様に係るレンズ装置は、第５態様において、前記ズームレンズ制御手段は、前記撮影モードから前記調整モードに遷移する際、前記ズームレンズを広角端及び望遠端のうち、一方の端部に一旦移動させてから他方の端部に移動させることを特徴とする。
【００１７】
本発明の第７態様に係るレンズ装置は、所望の被写体にピントを合わせるために駆動されるフォーカスレンズと、焦点距離を変更するために駆動されるズームレンズと、開口径を変化させて撮影光の光量を調節する絞りとを有し、前記フォーカスレンズの位置を調節してフランジバック調整を行うように構成されたレンズ装置において、通常の撮影動作が可能な撮影モードと前記フランジバック調整が可能な調整モードとの間でモード遷移する際、前記絞りの開口径を変化させる絞り制御手段と、前記撮影モードと前記調整モードとの間でモード遷移する際、前記ズームレンズの位置を変化させるズームレンズ制御手段と、を備え、前記ズームレンズ制御手段は、前記撮影モードから前記調整モードに遷移する際、前記ズームレンズを広角端及び望遠端のうち、一方の端部に一旦移動させてから他方の端部に移動させることを特徴とする。
本発明の第８態様に係るレンズ装置は、第６態様又は第７態様において、前記ズームレンズ制御手段は、前記撮影モードから前記調整モードに遷移する際、前記ズームレンズを広角端に一旦移動させてから望遠端に移動させることを特徴とする。
【発明の効果】
【００１８】
本発明によれば、撮影モードと調整モードとの間でモード遷移する場合には絞りの開口径を変化させるようにしたので、カメラマンはテレビカメラによる撮影映像を確認しているだけでフランジバック調整モードであるか否かを瞬時に把握できる。これにより、新たな表示手段やそのための表示回路を設ける必要がなくなり、レンズ装置の小型化やコストダウンを図ることが可能となる。
【図面の簡単な説明】
【００１９】
【図１】本発明の実施形態に係るレンズ装置の全体を示した斜視図
【図２】本例のレンズ装置を後方斜め下方から見上げた様子を示した図
【図３】レンズ鏡胴から取り外された状態の駆動ユニットの斜視図
【図４】フランジバック調整に関する動作フローの一例を示したフローチャート図
【図５】フランジバック調整に関する動作フローの他の例を示したフローチャート図
【発明を実施するための形態】
【００２０】
以下、添付図面を参照して本発明の実施形態について詳細に説明する。
【００２１】
図１は、本発明の実施形態に係るレンズ装置の全体を示した斜視図である。図１はレンズ装置を前方斜め上方から見下ろした様子を示している。また、図２は当該レンズ装置を後方斜め下方から見上げた様子を示した図である。これらの図面に示したレンズ装置１０は、主に取材などで携帯される放送用又は業務用のテレビカメラ（ビデオカメラ）に装着されるレンズ装置であり、「ポータブルレンズ」、「ハンディータイプ・レンズ」、「ＥＮＧレンズ」等に分類されるレンズ装置である。
【００２２】
図示のとおり、レンズ装置１０は、レンズ鏡胴１２と、当該レンズ鏡胴１２の側部に設置された駆動ユニット１４を備えている。レンズ鏡胴１２は、後端部にバヨネット方式のマウント部２０を有しており、このマウント部２０をカメラ本体（図示せず）のマウント部に係合させることにより、レンズ鏡胴１２がカメラ本体に装着されてテレビカメラが構成されるようになっている。
【００２３】
レンズ鏡胴１２の内部には、周知のように被写体像を結像するための光学系を構成するレンズや絞りが収容されており、レンズとして、レンズ鏡胴１２の各種構成部材を支持する鏡胴本体に対して固定されたレンズの他に、光軸方向に移動可能に支持されたフォーカスレンズ群や変倍レンズ群、並びにマスターレンズ群が配置されている。
【００２４】
光学系を構成するレンズの種類、枚数、絞りの構造、並びにこれらの配置順や相対的位置関係については、様々な形態が可能である。一例としてリアフォーカス式のズームレンズ装置を説明すると、対物側から順に、固定レンズ、変倍レンズ、前マスターレンズ、フォーカスレンズ、後マスターレンンズの５群のレンズ群が配置され、前マスターレンズの直前に虹彩絞りが配置される。
【００２５】
レンズ鏡胴１２（鏡胴本体）の外周部には、鏡胴本体に対して回動可能な複数の操作リング（２１〜２６）が設けられている。本例の場合、その操作リングとして前方側（対物側）からフォーカスリング２１、２２、変倍レンズ群に連結されたズームリング２４、絞りに連結されたアイリスリング２６が配置されている。フォーカスリング２１、２２が回動すると、これと連動してフォーカスレンズ群が光軸方向に移動して光学系全体としての焦点位置（ピントが合う被写体距離）が変化するようになっている。
【００２６】
ズームリング２４が回動すると、これと連動してズームレンズ群が光軸方向に移動して光学系全体としての焦点距離が変化し、アイリスリング２６が回動すると、これと連動して絞りが開閉動作して光学系全体としての絞り値が変化するようになっている。
【００２７】
第１フォーカスリング２１、第２フォーカスリング２２、ズームリング２４、アイリスリング２６の各々の外周面には、それぞれギア歯２１Ａ、２２Ａ、２４Ａ、２６Ａが形成されている。これら各操作リングのギア歯２１Ａ、２２Ａ、２４Ａ、２６Ａは、駆動ユニット１４に設けられた対応する連結ギア（駆動対象に対応して設けられた駆動機構の連結ギア）と噛合される。
【００２８】
第１フォーカスリング２１は回動範囲が規制されておらず、エンドレスに回転させることができるとともに、光軸方向（前後方向）にスライド可能に配設されている。一方、第２フォーカスリング２２は、ストッパー部材（不図示）によって回動範囲が規制されている。例えば、第２フォーカスリング２２は、約１２０度の範囲内で回動できるように規制されている。
【００２９】
第１フォーカスリング２１を光軸方向の後側規定位置に設定すると、当該第１フォーカスリング２１と第２フォーカスリング２２とが連結され、第１フォーカスリング２１と第２フォーカスリング２２とが一体的に回動する。この状態で第１フォーカスリング２１を回動させる場合には、第２フォーカスリング２２の回動可能範囲内でのみ回動可能となる。
【００３０】
一方、第１フォーカスリング２１を前側規定位置に設定すると、第１フォーカスリング２１と第２フォーカスリング２２との連結が外れる。これにより、第１フォーカスリング２１はエンドレスで回転できるようになる。
【００３１】
このようなフォーカスリング（２１，２２）の構成は、第１フォーカスリング２１のスライド移動（光軸方向の位置）によって相対位置指示方式のフォーカス操作と、絶対位置指示方式のフォーカス操作とを切り替えるための構造であり、特開２００７−１７８６３３号公報において開示されている手段である。第１フォーカスリング２１を前側規定位置に設定した場合に相対位置指示方式のフォーカス操作となり、第１フォーカスリング２１を後側規定位置に設定した場合に回動範囲が規制された絶対位置指示方式のフォーカス操作となる。
【００３２】
また、レンズ鏡胴１２の外周部には、鏡胴本体に対して固定された第１固定環２８及び第２固定環３０が設けられている。第１固定環２８は、フォーカスリング２２とズームリング２４との間に配置され、鏡胴本体と一体形成されている。第２固定環３０は、ズームリング２４とアイリスリング２６との間に配置され、鏡胴本体とは別体の部材で形成されている。図面には示されていないが、アイリスリング２６には、絞り値に関する目盛りが記されており、第２固定環３０には、アイリスリング２６の目盛りに対して読み取り位置を指し示す指標（指標マーク）が記されている。
【００３３】
ここでいう「鏡胴本体」とは、レンズ鏡胴１２の各種構成部材を支持し、レンズ鏡胴１２の骨格となる部材を示す。なお、鏡胴本体と一体的に構成された第１固定環２８及び第２固定環３０を「固定鏡胴」或いは「固定環」として構成することも可能である。駆動ユニット１４は、レンズ鏡胴１２の第１固定環２８及び第２固定環３０の部分に対して、ねじ３４、３５、３６を介して固定される。
【００３４】
駆動ユニット１４の上面部、後端面及び底面部には各種操作部（符号４０〜４８）が設けられている。すなわち、駆動ユニット１４の上面部には、操作部材として、ズームシーソースイッチ４０、アイリスモード切替スイッチ４１、オートスイッチ４２、リターンスイッチ４３が設けられ（図１参照）、駆動ユニット１４の後端面には録画スイッチ４４が設けられている（図２参照）。
【００３５】
ズームシーソースイッチ４０は、レンズ鏡胴１２の焦点距離を変化させるための操作部材である。ズームシーソースイッチ４０は、光軸に略直交する軸を中心として前後に揺動自在であり、前方のテレ側凸部を押圧するとレンズ鏡胴１２内の変倍レンズが望遠側（テレ側）に向けて移動し、逆に、後方のワイド凸部を押圧すると広角側（ワイド側）に向けて移動する。テレ／ワイドのいずれの押圧操作においても、ズームシーソースイッチ４０の押し込み量（操作量）によって変倍スピードを調整することができ、押し込み量が大きいほど高速になる。なお、ズームシーソースイッチ４０は、押圧を解除することで中立位置に復帰する。
【００３６】
アイリスモード切替スイッチ４１は、アイリス調節を自動で行うオートモードと、手動で行うマニュアルモードとを切り替える手段である。当該切替スイッチ４１のツマミを光軸と略平行な方向に沿って前後にスライドさせることにより、オート／マニュアルのいずれか一方のモードを選択的に設定することができる。
【００３７】
オートスイッチ４２は、アイリス調整をマニュアルモードに設定しているときに、一時的にオートモードとするためのスイッチである。当該オートスイッチを押圧操作している間だけアイリス調節がオートモードになる。
【００３８】
リターンスイッチ４３は、オンエア中の画面や他のカメラで撮影している画面など他の画面をカメラのビューファインダー（図示しないカメラ本体に設けた画像表示装置）に表示するか否かを切り替えるスイッチである。当該リターンスイッチ４３を押圧するごとに、ビューファインダーにおける他画面の表示の有無が切り替えられる。
【００３９】
録画スイッチ４４は、撮影画像の記録（録画）の開始と終了を指示するスイッチである。当該録画スイッチ４４を押圧操作するごとに、録画の開始／終了の指示が切り替わる。録画が開始されると、撮影中の映像がビデオテープやメモリ等の記録媒体に記録（録画）される。
【００４０】
また、図２に示すように、本例の駆動ユニット１４の底面部分には、フランジバック調整スイッチ４６、電動／手動ズーム切替レバー４８が設けられている。
【００４１】
フランジバック調整スイッチ４６は、フランジ焦点距離の調整を行う際に押されるスイッチである。このスイッチ４６を長押しすると（例えば、３秒間）、所定の条件を満たしている場合には、フランジバック調整モードとなる。なお、フランジバック調整モードに移行するための条件については後述する。フランジバック調整作業が完了した場合、又は、フランジバック調整モードに移行してから所定時間（例えば、２分間）が経過した場合、フランジバック調整モードが自動的に解除され、通常の撮影動作が可能な撮影モードに復帰する。
【００４２】
電動／手動ズーム切替レバー４８は、駆動ユニット１４のズームシーソースイッチ４０による電動ズーム操作と、ズームリング２４を手動で回動操作するマニュアルズーム操作とを切り替えるためのレバーである。
【００４３】
なお、図２中の符号５０はテレビカメラ（不図示）との接続用のケーブルの一部を示したものである。当該レンズ鏡胴１２のマウント部２０と連結されたカメラ本体（不図示）と、駆動ユニット１４とは、ケーブル５０によって電気的に接続され、これらの間で電力の供給や各種信号の授受が行われる。符号５２は、遠隔制御システムに接続するためのコネクタである。符号５４は、グリップベルト（不図示）を取り付けるためのベルト通し穴である。図１の符号５５で示したように、駆動ユニット１４の前側端部にもベルト通し穴が形成されており、これら前後のベルト通し穴５４，５５にグリップベルトを通してグリップベルトが取り付けられる。
【００４４】
カメラマンは、駆動ユニット１４の筐体（ケース）６０とグリップベルトの間に右手（親指以外の４本の指）を挿入することによって、駆動ユニット１４とともにレンズ鏡胴１２を保持することができる。また、このように撮影者（カメラマン）が駆動ユニット１４を右手でグリップしたときに、その右手の親指が自然に掛かる位置に録画スイッチ４４が配置されている（図２参照）。
【００４５】
マウント取付枠１６の側面には、スライド式のマクロＯＮ／ＯＦＦスイッチと、ＡＦ／ＭＦ切替えスイッチと、ノンロック式のＡＦプッシュスイッチとが配設されており、これらのスイッチの操作に伴う出力信号は、リード線を介して駆動ユニット１４に加えられるようになっている。
【００４６】
ここで、マクロＯＮ／ＯＦＦスイッチは、マクロ撮影モードをＯＮ／ＯＦＦさせるスイッチである。ＡＦ／ＭＦ切替えスイッチは、被写体像のコントラストが最大になるように自動的にフォーカスレンズを移動させて焦点調節を行うオートフォーカス（ＡＦ）モードと、第１フォーカスリング２１を手動で回動操作することによりフォーカスレンズを移動させて焦点調節を行うマニュアルフォーカス（ＭＦ）モードとを切り替えるスイッチである。ＡＦプッシュスイッチは、ＡＦ／ＭＦ切替えスイッチによりＭＦモードに切り替えられている場合に、キートップが押下（プッシュ）されている期間だけＡＦモードに切り替えるスイッチである。
【００４７】
ＡＦ／ＭＦ切替えスイッチによりＡＦモードに切り替えられている場合には、駆動ユニット１４は、第１フォーカスリング２１、第２フォーカスリング２２の操作にかかわらず、自動的にフォーカスレンズを合焦位置に移動させるＡＦ制御を行う。
【００４８】
一方、ＡＦ／ＭＦ切替えスイッチによりＭＦモードに切り替えられている場合には、第１フォーカスリング２１のスライド位置に応じて、フルＭＦモード（端付き）とＡＦ／ＭＦモード（エンドレス）とが切り替えられるようになっている。
【００４９】
なお、駆動ユニット１４は、第１フォーカスリング２１の前後方向の位置を検出するための光学センサ（不図示）を備えており、当該光学センサからの検出信号により第１フォーカスリング２１の光軸方向のスライド位置（第１フォーカスリング２１が第２フォーカスリング２２に連結しているか否か）を検知することができるようになっている。駆動ユニット１４は、第１フォーカスリング２１が第２フォーカスリング２２に連結している場合にはフルＭＦモードに切り替え、第１フォーカスリング２１が第２フォーカスリング２２に連結していない場合にはＡＦ／ＭＦモードに切り替えるようにする。
【００５０】
フルＭＦモードに切り替えられると、第１フォーカスリング２１を手動で操作することにより、フォーカスレンズを所望の撮影距離に対応する位置に移動させることができる。また、フルＭＦモードは、第１フォーカスリング２１が第２フォーカスリング２２を介して回動範囲が制限されており、操作者は、第１フォーカスリング２１が端に到達したときの操作感によってフォーカスレンズが至近端又は無限遠端に到達したことを認識することができる。このような第１フォーカスリング２１のみによるフォーカス操作は、本職のカメラマン等が使い慣れた方式である。
【００５１】
一方、第１フォーカスリング２１が第２フォーカスリング２２に連結していないＡＦ／ＭＦモード時には、第１フォーカスリング２１を回動させることによりフォーカスレンズを移動させるＭＦモードと、前述したＡＦプッシュスイッチの押下によるＡＦモードとを適宜使い分けてフォーカス制御を行うことができる。
【００５２】
なお、ＡＦ／ＭＦモード時には第１フォーカスリング２１は、第２フォーカスリング２２に連結していないため、その回動範囲が規制されずエンドレスで回転できるが、駆動ユニット１４は、フォーカスレンズが無限遠端又は至近端の位置まで移動すると、その端を超える移動指令は出力しないようにしている。
【００５３】
また、ＡＦ／ＭＦモード時にＡＦプッシュスイッチの押下によりＡＦモードに一時的に切り替え、その後、ＡＦプッシュスイッチから手を離してＭＦモードに切り替えると、ＡＦモードによって自動的に合焦したフォーカスレンズの位置を引き継いで、第１フォーカスリング２１を操作した分だけフォーカスレンズを変位させることができ、使い勝手が良くなる。
【００５４】
レンズ鏡胴１２の側面に取り付けられる駆動ユニット１４は、金属の筐体（ケース）６０によって全体が覆われている。筐体６０は、カメラマンが右手でグリップしたときに手のひらに馴染むように、略卵型（レンズ鏡胴１２の光軸に沿って卵を横に寝かせた面形状）の形体となっている。筐体６０は、概ねレンズ鏡胴１２の光軸方向に沿った面を分割面とする２つの枠体パーツ（枠部品）から構成される。すなわち、筐体６０は、レンズ鏡胴１２側の側面を形成する第１枠体６２と、カメラマンの手のひらに触れる外側の側面を形成する第２枠体６４とを向かい合わせて連結させる構造（２分割のシェル構造）となっている。
【００５５】
第１枠体６２はレンズ鏡胴１２への固定構造として、レンズ鏡胴１２の第１固定環２８及び第２固定環３０の各部分に対向した位置に延出する第１固定部６６及び第２固定部６８とが形成されている。第１固定部６６及び第２固定部６８は、第１固定環２８と第２固定環３０の各々の外周面（円筒面）に略沿ったＲ形状を基調する凹面状の連結面を有する。第１固定部６６をねじ３４により第１固定環２８に固定し、第２固定部６８をねじ３５で固定する。なお、レンズ鏡胴１２の下側（図２参照）にも第２固定部６８が設けられており、この下側の第２固定部６８をねじ３６で固定する。かかる構造によりレンズ鏡胴１２の側周面に駆動ユニット１４の第１枠体６２が固定される。
【００５６】
当該第１枠体６２と別体に構成された第２枠体６４は、第１枠体６２に対して、互いの周縁部に形成された連結部（不図示）の位置を合わせてビス６９で連結される。こうして、第１枠体６２と第２枠体６４とが連結されることで駆動ユニット１４の筐体６０が構成されている。
【００５７】
筐体６０の内部には、フォーカス駆動機構、ズーム駆動機構、アイリス駆動機構、マスター駆動機構の各駆動機構を構成するモータ、ポテンショメータ、ギア列などの動力の伝達に関連する駆動機構部材が収容されている。また、当該筐体６０の内部には、第１フォーカスリング２１の前後方向の位置を検出するための光学センサが配設されとともに、各駆動機構のモータ制御回路やカメラとの間の信号の授受を担う制御回路等が搭載された回路基板、並びに、駆動機構部材とメイン基板との間を仕切る保護カバー等が配設される。
【００５８】
保護カバーは、少なくともその表面が絶縁性を有するものであることが望ましい。また、表面の絶縁性と、モータ等で発生する電気的なノイズのシールド機能とを併せ持つように、例えば、金属薄膜などからなるシールド層の表面を絶縁性のプラスチック樹脂などで覆う構成としてもよい。
【００５９】
図３は、駆動ユニット１４をレンズ鏡胴１２から取り外した状態で当該駆動ユニット１４を第１枠体６２側から描いた斜視図である。
【００６０】
同図のように駆動ユニット１４におけるレンズ鏡胴１２との連結部９０は、レンズ鏡胴１２の外周形状に対応して円筒面に沿った凹曲面の連結面９２を有する。レンズ鏡胴１２の外周部に設けられる各操作リング（２１〜２６）や固定環（２８、３０）等は、光学系の光軸（レンズ鏡胴１２の中心軸）を中心軸とする円筒面を外面形状の基調としていることに対応し、当該レンズ鏡胴１２の側面に設置される駆動ユニット１４の連結面９２は、光軸を中心軸とした円筒面（の一部）に沿った形状を基調とし、かつ、レンズ鏡胴１２のいずれの部材とも所定の隙間を有して接触しない大きさ径寸法を有する円筒面（同一径に限らない）に沿った形状を有している。
【００６１】
この第１枠体６２における連結面９２には、操作リングに対面する部分に開口９２Ａ、９２Ｂ、９２Ｃが形成されており、それらの開口９２Ａ、９２Ｂ、９２Ｃから連結ギア９４、９５、９６の一部が連結面９２よりも外部に突出した状態で露出している。
【００６２】
駆動ユニット１４をレンズ鏡胴１２に設置した状態において、各連結ギア９４〜９６は、操作リングに対応したギア歯２１Ａ〜２６Ａに噛合する。
【００６３】
図には示さないが、駆動ユニット１４の筐体６０内において、各連結ギア９４〜９６は、それぞれ対応するモータやポテンショメータ等に連結されている。
【００６４】
したがって、レンズ鏡胴１２内のフォーカスレンズ群、ズーム（変倍）レンズ群、絞りの各々の現在の設定位置が、駆動ユニット１４内のポテンショメータにより検出されると共に、フォーカスレンズ群、ズーム（変倍）レンズ群、絞りを駆動ユニット１４の筐体６０内のモータによって駆動することができるようになっている。
【００６５】
なお、本実施の形態では、フォーカスレンズ群、ズーム（変倍）レンズ群、絞りのいずれをも駆動ユニット１４により電動駆動可能としているが、本発明の実施に際しては、必ずしもこれら全ての可動要素を駆動ユニット１４で駆動させることは要求されない。少なくとも１つの可動要素を駆動することができる駆動ユニットであればよい。ただし、テレビカメラに用いるレンズ装置の場合、少なくとも変倍レンズ群について駆動可能な駆動ユニットであることが望ましい。
【００６６】
本実施形態においては、レンズ装置１０のマウント部２０を図示せぬカメラ本体に装着した後、カメラマンによって所定操作が行われると、レンズ装置１０はフランジバック調整モードに移行する。図４は、レンズ装置１０におけるフランジバック調整モードに関する動作フローの一例を示したフローチャートである。以下では、図４のフローチャートに従ってフランジバック調整モードについて説明する。なお、ここで説明する各処理は、特に断らない限り、駆動ユニット１４（又はレンズ装置１０）の各部の動作の制御を統括するＣＰＵ（制御回路に相当）において行われるものとする。
【００６７】
図４に示したフローチャートでは、前段の４つのステップＳ１０〜Ｓ１６において、通常の撮影モードからフランジバック調整モードに移行するための条件が成立しているか否かを判断している。
【００６８】
具体的には、まず始めに、ズームレンズの動作モードが電動操作可能なモードとなっているか、すなわち、電動／手動ズーム切替レバー４８が電動ズーム操作側を選択しているか否かを判断する（ステップＳ１０）。
【００６９】
電動／手動ズーム切替レバー４８がマニュアルズーム操作側を選択している場合（ステップＳ１０においてＮｏの場合）には、フランジバック調整モードへの移行条件を満たしていないものとして通常の撮影モードに戻る。
【００７０】
一方、電動／手動ズーム切替レバー４８が電動ズーム操作側を選択している場合（ステップＳ１０においてＹｅｓの場合）には、フォーカスレンズの制御モードがマニュアルフォーカスモードになっているか、すなわち、ＡＦ／ＭＦ切替えスイッチがＭＦモード（マニュアルフォーカスモード）を選択しているか否かを判断する（ステップＳ１２）。
【００７１】
ＡＦ／ＭＦ切替えスイッチがＡＦモード（オートフォーカスモード）を選択している場合（ステップＳ１２においてＮｏの場合）には、フランジバック調整モードへの移行条件を満たしていないものとして通常の撮影モードに戻る。
【００７２】
一方、ＡＦ／ＭＦ切替えスイッチがＭＦモードである場合（ステップＳ１２においてＹｅｓの場合）には、フランジバック調整スイッチ（Ｆｆスイッチ）４８が押されているか（ＯＮ状態となっているか）否かを判断する（ステップＳ１４）。
【００７３】
フランジバック調整スイッチ４８が押されていない場合（ステップＳ１４においてＮｏの場合）には、フランジバック調整モードへの移行条件を満たしていないものとして通常の撮影モードに戻る。
【００７４】
一方、フランジバック調整スイッチ４８が押されている場合（ステップＳ１４においてＹｅｓの場合）には、フランジバック調整スイッチ４８が押されてから３秒以上経過したか否かを判断する（ステップＳ１６）。
【００７５】
フランジバック調整スイッチ４８が押されてから３秒未満である場合（ステップＳ１６においてＮｏの場合）には、ステップＳ１４に戻って再度フランジバック調整スイッチ４８が押されているか否かを判断する。つまり、フランジバック調整スイッチ４８が３秒以上続けて長押しされてない場合には、フランジバック調整モードへの移行条件を満たしていないものとして通常の撮影モードに戻るようになっている。
【００７６】
一方、フランジバック調整スイッチ４８が押されてから３秒以上経過した場合（ステップＳ１６においてＹｅｓの場合）、レンズ装置１０はフランジバック調整モードに移行する。
【００７７】
本実施形態では、通常の撮影モードからフランジバック調整モードへの移行条件として、 (1) ズームレンズの動作モードが電動操作可能なモードであること、(2)フォーカスレンズの制御モードがマニュアルフォーカスモードであること、(3)フランジバック調整スイッチ４８が所定時間（本例では３秒間）以上長押しされていること、の３つの条件を満たすことが必要とされている。
【００７８】
なお、本実施形態においては、マニュアルフォーカスモードが選択されている場合、第１フォーカスリング２１のスライド位置によって、フルＭＦモード（端付き）とＡＦ／ＭＦモード（エンドレス）とが切り替えられるようになっているが、フランジバック調整モードへの移行条件としては、これらのマニュアルフォーカスモードのうち何れのモードが選択されていてもよい。
【００７９】
レンズ装置１０がフランジバック調整モードに移行すると、望遠側と広角側の両方でピントが合うように以下の順序でフランジ焦点距離の調整が行われる。なお、この調整作業が少なくとも開始されるまでには、カメラマンは適当な被写体を選択しているものとする。
【００８０】
また、フランジバック調整では被写体深度を浅くするために、絞りは開放されていた方が好ましいが、高輝度被写体の場合にはテレビカメラの映像信号が飽和して適切なピント合わせができなくなるおそれがある。このため本実施形態では、フランジバック調整を行うときに撮影される被写体に応じて、カメラマンが絞りの開口径を手動で調整するようになっている。なお、フランジバック調整が行われるときの被写体距離としては特に限定されるものではないが、例えば３ｍの被写体距離が好ましく採用される。
【００８１】
フランジバック調整モードに移行したら、まず最初に、ズームレンズを広角端（ワイド端）に一旦移動させた後（ステップＳ１８）、広角端に移動したズームレンズを望遠端（テレ端）まで移動させる（ステップＳ２０）。
【００８２】
このようにズームレンズを可動可能な全範囲にわたって移動させることによって、テレビカメラによる撮影画像（撮影映像）に大きな画角変化が生じるので、カメラマンはレンズ装置１０がフランジバック調整モードに移行したことを瞬時に把握することができる。
【００８３】
上記のようにしてズームレンズを望遠端に移動させた後、カメラマンによるピント合わせが完了するまで待機状態となる。具体的には、フランジバンク調整スイッチ４８が押されるか否かを判断し（ステップＳ２２）、カメラマンによってフランジバンク調整スイッチ４８が押されるまでそのままの状態が維持される。
【００８４】
この待機状態の間にカメラマンは、ズームレンズが望遠端に設定されている状態で第１フォーカスリング２１を回してピント合わせを行い、ピントが合ったらフランジバック調整スイッチ４８を押す。
【００８５】
フランジバック調整スイッチ４８が押された場合（ステップＳ２２においてＹｅｓの場合）、そのときのフォーカスレンズの位置が記憶される（ステップＳ２４）。なお、フォーカス位置はメモリ（不図示）等に記憶される。
【００８６】
次に、ズームレンズを望遠端から広角端に移動させる（ステップＳ２６）。そして、前述のステップＳ２２と同様、カメラマンによってフランジバンク調整スイッチ４８が押されるまで待機状態となる（ステップＳ２２）。この待機状態の間にカメラマンは、ズームレンズが望遠端に設定されている状態で第１フォーカスリング２１を回してピント合わせを行い、ピントが合ったらフランジバック調整スイッチ４８を押す。
【００８７】
フランジバック調整スイッチ４８が押された場合（ステップＳ２８においてＹｅｓの場合）、そのときのフォーカスレンズの位置が記憶される（ステップＳ３０）。
【００８８】
このように望遠側と広角側の両方でピントが合うように順次調整して、そのときのフォーカスレンズの位置をメモリ等に記憶させた後、ズームレンズを望遠側の元の位置に戻す（ステップＳ３２）。なお、フランジバック調整モードに移行したときのズームレンズの初期位置はメモリ等に記憶されている。
【００８９】
最後に、フランジバック調整モードが正常に完了したことをカメラマンに知らせるために、絞りを最小開口径まで一旦クローズさせてから（ステップＳ３４）、クローズ前の元の開口径に絞りを戻す（ステップＳ３６）。このとき、カメラマンがフランジバック調整モードの終了をより確実に把握できるように、絞りを最小開口径から最大開口径（又はその逆）に変化させてから元の開口径に絞りを戻すようにしてもよい。
【００９０】
このようにフランジバック調整モードが終了したことをカメラマンに知らせる動作として絞りの開閉動作が行われた後、レンズ装置１０はフランジバック調整モードを解除して、通常の撮影モードに復帰する。これにより、通常の撮影操作が可能となる。
【００９１】
なお、上述したように、フランジバック調整モードに移行してから所定時間（例えば、２分間）が経過した場合、フランジバック調整モードが自動的に解除されて通常の撮影モードに復帰する。このような場合にも、フランジバック調整が正常に完了した場合と同様、絞りの開閉動作によってカメラマンに通常モードに復帰したことを知らせるようにする態様が好ましい。
【００９２】
図５は、レンズ装置１０におけるフランジバック調整モードに関する動作フローの他の例を示したフローチャートである。図５中、図４と共通する処理については同一の符号を付して説明を省略する。
【００９３】
図５に示した例では、フランジバック調整モードに移行したことをカメラマンに知らせるための動作として、ズームレンズを広角端から望遠端まで移動させるのではなく、絞りを最小開口径に一旦クローズさせてから（ステップＳ４０）、クローズ前の元の開口径に絞りを戻すようにしている（ステップＳ４２）。
【００９４】
また図示は省略するが、通常の撮影モードからフランジバック調整モードに移行したことをカメラマンに知らせるための動作として、ズームレンズの移動と絞りの開閉動作を組み合わせるようにしてもよい。フランジバック調整モードから通常の撮影モードに復帰する場合についても同様である。ズームレンズの移動と絞りの開閉動作を組み合わせることによって、仮にどちらか一方の変化が少ない場合でもユーザはモード遷移を見逃さずにモードが変化したことを確実に把握することができる。
【００９５】
このように本実施形態によれば、撮影モードと調整モードとの間でモード遷移する場合には絞りの開口径やズームレンズの位置を変化させるようにしたので、カメラマンはテレビカメラによる撮影映像を確認しているだけでフランジバック調整モードであるか否かを瞬時に把握できる。これにより、新たな表示手段やそのための表示回路を設ける必要がなくなり、レンズ装置の小型化やコストダウンを図ることが可能となる。
【符号の説明】
【００９６】
１０…レンズ装置、１２…レンズ鏡胴、１４…駆動ユニット、２０…マウント部、２１…第１フォーカスリング、２２…第２フォーカスリング、２４…ズームリング、２６…アイリスリング、４６…フランジバック調整スイッチ、４８…電動／手動ズーム切替レバー
【図１】
0005384318.tif 000002
【図２】
0005384318.tif 000003
【図３】
0005384318.tif 000004
【図４】
0005384318.tif 000005
【図５】
0005384318.tif 000006